(57)【要約】【課題】排出トレイが満載状態で画像形成要求を受け付けた際に、満載状態の解消に関する報知による理不尽さなどをユーザに感じさせることを抑制できる、画像形成装置、画像形成システム、制御方法およびプログラムを提供する。【解決手段】増設排出トレイの満載状態において、外部装置３から新たな画像形成ジョブが受信されると、新たな画像形成ジョブの送信元情報が満載関与情報と一致するか否かが判断される。送信元情報と満載関与情報とが一致する場合には、満載状態の解消に関する満載解消報知要求が新たな画像形成ジョブを送信した送信元の外部装置へ送信される。増設排出トレイの満載状態で受信された新たな画像形成ジョブの送信元情報が満載関与情報と一致しない場合、満載解消報知要求が新たな画像形成ジョブを送信した送信元の外部装置へ送信されない。【選択図】図６
2016190324.tif 000002
【特許請求の範囲】
【請求項１】
シートへの画像形成を実行する画像形成部と、
前記画像形成部による画像形成済みのシートを支持するトレイと、
前記トレイに支持されたシートが所定位置に達している満載状態に応じた満載信号または前記トレイに支持されたシートが所定位置に達していない非満載状態に応じた非満載信号を選択的に出力する信号出力部と、
複数の外部装置と通信を行う通信部と、
制御部とを備え、
前記制御部は、
前記信号出力部から前記満載信号が出力された場合に、前記トレイに支持されたシートに対応した画像形成ジョブの送信元情報を満載関与情報として特定し、
前記信号出力部から前記満載信号が出力されている状態で、前記通信部により新たな画像形成ジョブが受信されたことに応答して、前記新たな画像形成ジョブの送信元情報が前記満載関与情報と一致する場合には、前記トレイの満載状態の解消に関する報知要求を前記複数の外部装置のうち前記新たな画像形成ジョブを送信した外部装置へ送信するように前記通信部を制御し、前記新たな画像形成ジョブの送信元情報が前記満載関与情報と異なる場合には、前記トレイの満載状態の解消に関する報知要求を前記複数の外部装置のうち前記新たな画像形成ジョブを送信した外部装置へ送信しないように前記通信部を制御する、画像形成装置。
【請求項２】
請求項１に記載の画像形成装置であって、
前記通信部により受信した画像形成ジョブを画像形成待ちの画像形成ジョブとして登録する登録部をさらに備え、
前記制御部は、
前記新たな画像形成ジョブの送信元情報が前記満載関与情報と一致する場合には、当該画像形成ジョブを前記登録部に登録せず、前記新たな画像形成ジョブの送信元情報が前記満載関与情報と異なる場合には、当該画像形成ジョブを前記登録部に登録し、
前記登録部に登録された画像形成ジョブについての画像形成を実行させるように前記画像形成部を制御する、画像形成装置。
【請求項３】
請求項２に記載の画像形成装置であって、
前記通信部により受信された画像形成ジョブを仮登録する仮登録部をさらに備え、
前記制御部は、
前記新たな画像形成ジョブの送信元情報が前記満載関与情報と一致する場合には、当該画像形成ジョブを前記仮登録部に登録する、画像形成装置。
【請求項４】
請求項３に記載の画像形成装置であって、
前記制御部は、
前記登録部に登録されずに前記仮登録部に登録されている画像形成ジョブが存在する場合に、前記信号出力部から前記非満載信号が出力されたことに応答して、前記仮登録部に登録されている画像形成ジョブを前記登録部に登録する、画像形成装置。
【請求項５】
請求項３または４に記載の画像形成装置であって、
データを記憶する記憶部をさらに備え、
前記登録部および前記仮登録部は、前記記憶部の記憶領域により構成され、
前記制御部は、
前記記憶部の前記記憶領域の空き容量が所定量以下であり、前記信号出力部から前記満載信号が出力されている状態で、前記通信部に画像形成ジョブが受信された場合において、受信された画像形成ジョブの送信元情報が前記満載関与情報と一致する場合、当該画像形成ジョブを前記仮登録部に登録しない、画像形成装置。
【請求項６】
請求項１〜５のいずれか一項に記載の画像形成装置であって、
前記画像形成部による実行中の画像形成に係る画像形成ジョブの送信元情報を記憶する送信元情報記憶部をさらに備え、
前記制御部は、
前記信号出力部から前記満載信号が出力された時点で前記送信元情報記憶部に記憶されている送信元情報を前記満載関与情報として特定する、画像形成装置。
【請求項７】
請求項１〜５のいずれか一項に記載の画像形成装置であって、
前記トレイに支持されるシートには、画像形成ジョブごとに、当該画像形成ジョブの送信元情報を記憶したタグが付されており、
前記トレイに支持されたシートに付されている前記タグから送信元情報を読み出す読出部をさらに備え、
前記制御部は、
前記読出部により読み出された送信元情報の少なくとも１つを前記満載関与情報として特定する、画像形成装置。
【請求項８】
請求項１〜７のいずれか一項に記載の画像形成装置であって、
前記制御部は、
前記新たな画像形成ジョブの送信元情報が前記満載関与情報と一致する場合であっても、当該満載関与情報に係る画像形成ジョブについて画像形成されたシートの枚数が所定枚数以下である場合には、前記トレイの満載状態の解消に関する報知要求を送信しないように前記通信部を制御する、画像形成装置。
【請求項９】
請求項１〜８のいずれか一項に記載の画像形成装置であって、
前記トレイとは別に設けられ、前記画像形成部による画像形成済みのシートを支持する別トレイをさらに備え、
画像形成ジョブには、前記画像形成部による画像形成済みのシートの排出先を前記トレイまたは前記別トレイに指定する排出先指定情報が含まれており、
前記制御部は、
前記新たな画像形成ジョブの送信元情報が前記満載関与情報と異なり、かつ、前記新たな画像形成ジョブに含まれる排出先指定情報が前記排出先を前記トレイに指定する情報である場合には、前記新たな画像形成ジョブの送信元に対して、前記排出先を前記別トレイに指定する排出先指定情報が含まれる画像形成ジョブを送信することを促す報知要求を前記複数の外部装置のうち前記新たな画像形成ジョブを送信した外部装置へ送信するように前記通信部を制御する、画像形成装置。
【請求項１０】
請求項１〜９のいずれか一項に記載の画像形成装置であって、
前記制御部は、
前記新たな画像形成ジョブの送信元情報が前記満載関与情報と異なる場合には、前記トレイの満載状態に関する報知要求を前記複数の外部装置のうち前記新たな画像形成ジョブを送信した外部装置へ送信するように前記通信部を制御する、画像形成装置。
【請求項１１】
請求項１〜１０のいずれか一項に記載の画像形成装置であって、
前記制御部は、
前記新たな画像形成ジョブの送信元情報が前記満載関与情報と異なる場合であっても、前記信号出力部から前記満載信号が出力されている状態が所定時間以上継続している場合、または、前記通信部により受信されて、前記画像形成部による画像形成が実行されていない画像形成ジョブが所定数以上存在する場合には、前記トレイの満載状態の解消に関する報知要求を前記複数の外部装置のうち前記新たな画像形成ジョブを送信した外部装置へ送信するように前記通信部を制御する、画像形成装置。
【請求項１２】
画像形成装置と、複数の外部装置とを含む画像形成システムであって、
前記画像形成装置は、
シートへの画像形成を実行する画像形成部と、
前記画像形成部による画像形成済みのシートを支持するトレイと、
前記トレイに支持されたシートが所定位置に達している満載状態に応じた満載信号または前記トレイに支持されたシートが所定位置に達していない非満載状態に応じた非満載信号を選択的に出力する信号出力部と、
前記複数の外部装置と通信を行う通信部と、
制御部とを備え、
前記制御部は、
前記信号出力部から前記満載信号が出力された場合に、前記トレイに支持されたシートに対応した画像形成ジョブの送信元情報を満載関与情報として特定し、
前記信号出力部から前記満載信号が出力されている状態で、前記通信部により新たな画像形成ジョブが受信されたことに応答して、前記新たな画像形成ジョブの送信元情報が前記満載関与情報と一致する場合には、前記トレイの満載状態の解消に関する報知要求を前記複数の外部装置のうち前記新たな画像形成ジョブを送信した外部装置へ送信するように前記通信部を制御し、前記新たな画像形成ジョブの送信元情報が前記満載関与情報と異なる場合には、前記トレイの満載状態の解消に関する報知要求を前記複数の外部装置のうち前記新たな画像形成ジョブを送信した外部装置へ送信しないように前記通信部を制御する、画像形成システム。
【請求項１３】
シートへの画像形成を実行する画像形成部と、
前記画像形成部による画像形成済みのシートを支持するトレイと、
前記トレイに支持されたシートが所定位置に達している満載状態に応じた満載信号または前記トレイに支持されたシートが所定位置に達していない非満載状態に応じた非満載信号を選択的に出力する信号出力部と、
複数の外部装置と通信を行う通信部とを備える画像形成装置で実行される制御方法であって、
前記信号出力部から前記満載信号が出力された場合に、前記トレイに支持されたシートに対応した画像形成ジョブの送信元情報を満載関与情報として特定し、
前記信号出力部から前記満載信号が出力されている状態で、前記通信部により新たな画像形成ジョブが受信されたことに応答して、前記新たな画像形成ジョブの送信元情報が前記満載関与情報と一致する場合には、前記トレイの満載状態の解消に関する報知要求を前記複数の外部装置のうち前記新たな画像形成ジョブを送信した外部装置へ送信するように前記通信部を制御し、前記新たな画像形成ジョブの送信元情報が前記満載関与情報と異なる場合には、前記トレイの満載状態の解消に関する報知要求を前記複数の外部装置のうち前記新たな画像形成ジョブを送信した外部装置へ送信しないように前記通信部を制御する、制御方法。
【請求項１４】
シートへの画像形成を実行する画像形成部と、
前記画像形成部による画像形成済みのシートを支持するトレイと、
前記トレイに支持されたシートが所定位置に達している満載状態に応じた満載信号または前記トレイに支持されたシートが所定位置に達していない非満載状態に応じた非満載信号を選択的に出力する信号出力部と、
複数の外部装置と通信を行う通信部とを備える画像形成装置のコンピュータにインストールされるプログラムであって、
前記コンピュータに、
前記信号出力部から前記満載信号が出力された場合に、前記トレイに支持されたシートに対応した画像形成ジョブの送信元情報を満載関与情報として特定し、
前記信号出力部から前記満載信号が出力されている状態で、前記通信部により新たな画像形成ジョブが受信されたことに応答して、前記新たな画像形成ジョブの送信元情報が前記満載関与情報と一致する場合には、前記トレイの満載状態の解消に関する報知要求を前記複数の外部装置のうち前記新たな画像形成ジョブを送信した外部装置へ送信するように前記通信部を制御し、前記新たな画像形成ジョブの送信元情報が前記満載関与情報と異なる場合には、前記トレイの満載状態の解消に関する報知要求を前記複数の外部装置のうち前記新たな画像形成ジョブを送信した外部装置へ送信しないように前記通信部を制御する処理を実行させる、プログラム。
【発明の詳細な説明】
【技術分野】
【０００１】
本発明は、プリンタや複写機などの画像形成装置、画像形成装置を含む画像形成システム、画像形成装置で実行される制御方法および画像形成装置のコンピュータにインストールされるプログラムに関する。
【背景技術】
【０００２】
プリンタや複写機などの画像形成装置では、画像形成部により用紙に画像が形成され、その画像形成済みの用紙（印刷物）が排紙部に排出される。先に排出された用紙が排紙部に積載されている場合、その後に排紙部に排出される用紙は、その排紙部に積載されている用紙上に重なる。そのため、複数の用紙に画像が連続して形成されるときには、画像形成済みの用紙が排紙部に次々と排出され、排紙部には、複数の用紙が積み重なった状態で積載される。
【０００３】
画像形成装置には、排紙部が満載状態になると満載検知信号を出力する満載検知センサを備えたものがある。この画像形成装置の一例では、満載検知センサから出力される満載検知信号に基づき、排紙部が満載状態であると判断されるときには、印刷要求が受け付けられず、満載状態が報知される（たとえば、特許文献１参照）。この満載情報の報知は、満載状態の解消をユーザヘ要求するものである。
【０００４】
かかる画像形成装置が複数のユーザに共用される場合、ユーザがシートへの画像形成要求を画像形成装置に入力した際に、他のユーザの印刷物が排紙部に満載されていることがある。このとき、画像形成要求を入力したユーザは、他のユーザの印刷物が原因で排紙部が満載状態であるにもかかわらず、その満載状態の解消のための報知を受けることになり、たとえば、排紙部から他のユーザの印刷物を除去することを促されたような理不尽さを感じるおそれがある。
【先行技術文献】
【特許文献】
【０００５】
【特許文献１】特開２００１−１３９２１９号公報
【発明の概要】
【発明が解決しようとする課題】
【０００６】
本発明の目的は、排出トレイが満載状態で画像形成要求を受け付けた際に、満載状態の解消に関する報知による理不尽さなどをユーザに感じさせることを抑制できる、画像形成装置、画像形成システム、制御方法およびプログラムを提供することである。
【課題を解決するための手段】
【０００７】
前記の目的を達成するため、本発明の一の局面に係る画像形成装置は、シートへの画像形成を実行する画像形成部と、画像形成部による画像形成済みのシートを支持するトレイと、トレイに支持されたシートが所定位置に達している満載状態に応じた満載信号またはトレイに支持されたシートが所定位置に達していない非満載状態に応じた非満載信号を選択的に出力する信号出力部と、複数の外部装置と通信を行う通信部と、制御部とを備え、制御部は、信号出力部から満載信号が出力された場合に、トレイに支持されたシートに対応した画像形成ジョブの送信元情報を満載関与情報として特定し、信号出力部から満載信号が出力されている状態で、通信部により新たな画像形成ジョブが受信されたことに応答して、新たな画像形成ジョブの送信元情報が満載関与情報と一致する場合には、トレイの満載状態の解消に関する報知要求を複数の外部装置のうち新たな画像形成ジョブを送信した外部装置へ送信するように通信部を制御し、新たな画像形成ジョブの送信元情報が満載関与情報と異なる場合には、トレイの満載状態の解消に関する報知要求を複数の外部装置のうち新たな画像形成ジョブを送信した外部装置へ送信しないように通信部を制御する。
【０００８】
この構成によれば、トレイが満載状態になった場合、その満載状態のトレイに支持されたシートに関する画像形成ジョブの送信元情報が満載関与情報として特定される。トレイの満載状態において、外部装置から新たな画像形成ジョブが受信され、新たな画像形成ジョブの送信元情報が満載関与情報と一致する場合には、新たな画像形成ジョブの発信元ユーザがトレイの満載状態に関与しているので、満載状態の解消に関する報知要求が新たな画像形成ジョブを送信した送信元の外部装置へ送信される。これにより、満載状態に関与しているユーザには、トレイからシートを除去することを促すことができる。一方、トレイの満載状態で受信された新たな画像形成ジョブの送信元情報が満載関与情報と一致しない場合、新たな画像形成ジョブの送信元のユーザはトレイの満載状態に関与していないので、満載状態の解消に関する報知要求が新たな画像形成ジョブを送信した送信元の外部装置へ送信されない。これにより、トレイの満載状態に関与していないユーザに満載状態の解消に関する報知による理不尽さなどを感じさせることを抑制できる。
【０００９】
本発明の他の局面に係る画像形成システムは、画像形成装置と、複数の外部装置とを含む画像形成システムであって、画像形成装置は、シートへの画像形成を実行する画像形成部と、画像形成部による画像形成済みのシートを支持するトレイと、トレイに支持されたシートが所定位置に達している満載状態に応じた満載信号またはトレイに支持されたシートが所定位置に達していない非満載状態に応じた非満載信号を選択的に出力する信号出力部と、複数の外部装置と通信を行う通信部と、制御部とを備え、制御部は、信号出力部から満載信号が出力された場合に、トレイに支持されたシートに対応した画像形成ジョブの送信元情報を満載関与情報として特定し、信号出力部から満載信号が出力されている状態で、通信部により新たな画像形成ジョブが受信されたことに応答して、新たな画像形成ジョブの送信元情報が満載関与情報と一致する場合には、トレイの満載状態の解消に関する報知要求を複数の外部装置のうち新たな画像形成ジョブを送信した外部装置へ送信するように通信部を制御し、新たな画像形成ジョブの送信元情報が満載関与情報と異なる場合には、トレイの満載状態の解消に関する報知要求を複数の外部装置のうち新たな画像形成ジョブを送信した外部装置へ送信しないように通信部を制御する。
【００１０】
これにより、前述の画像形成装置と同様の作用効果を奏することができる。
【００１１】
なお、本発明は、画像形成装置および画像形成システムの形態で実現することができるだけでなく、たとえば、画像形成装置で実行される制御方法および画像形成装置のコンピュータにインストールされるプログラムの形態で実現することもできる。
【発明の効果】
【００１２】
本発明によれば、新たな画像形成ジョブの送信元のユーザがトレイの満載状態に関与していない場合には、満載状態の解消に関する報知要求が新たな画像形成ジョブを送信した送信元の外部装置へ送信されない。これにより、トレイの満載状態に関与していないユーザに、満載状態の解消に関する報知による理不尽さなどを感じさせることを抑制できる。
【図面の簡単な説明】
【００１３】
【図１】本発明の一実施形態に係るプリンタを含む画像形成システムの構成を示す図である。
【図２】プリンタの構成を図解的に示す図である。
【図３】プリンタの電気的構成の要部を示すブロック図である。
【図４】ジョブ受信処理の流れを示すフローチャートである。
【図５】非満載処理の流れを示すフローチャートである。
【図６】満載処理の流れを示すフローチャートである。
【図７】満載解消処理の流れを示すフローチャートである。
【図８】他の満載処理の流れを示すフローチャートである。
【図９】変形例に係るプリンタの電気的構成の要部を示すブロック図である。
【発明を実施するための形態】
【００１４】
以下では、本発明の実施の形態について、添付図面を参照しつつ詳細に説明する。
【００１５】
＜システム構成＞
【００１６】
画像形成システム１は、図１に示されるように、プリンタ２（画像形成装置の一例）と、複数の外部装置３とを含む。プリンタ２は、ネットワーク対応プリンタである。外部装置３は、たとえば、ＰＣ本体４およびディスプレイ５を含むＰＣ（Personal Computer）である。
【００１７】
プリンタ２および複数の外部装置３は、ＬＡＮ（Local Area Network）６に接続されている。ＬＡＮ６は、有線ＬＡＮまたは無線ＬＡＮで構成されていてもよいし、有線ＬＡＮおよび無線ＬＡＮの両方で構成されていてもよい。プリンタ２と外部装置３との間では、ルータ７の機能により、ＬＡＮ６を経由した双方向通信が可能である。
【００１８】
プリンタ２の使用に際しては、ユーザにより外部装置３が操作されて、画像形成対象のファイル（画像データ）が選択され、また、画像形成条件（画像形成に使用するシートサイズ、シートの供給元、シートの排出先など）が指定される。その後、ユーザにより外部装置３が操作されて、画像形成の実行が指示されると、ユーザにより選択されたファイルおよび指定された画像形成条件を含む画像形成ジョブ（プリントジョブ）が外部装置３からプリンタ２に送信される。プリンタ２では、外部装置３から受信した画像形成ジョブについての画像形成が実行される。
【００１９】
＜プリンタの機械的構成＞
【００２０】
プリンタ２は、図２に示されるように、プリンタ本体１１を備えている。
【００２１】
プリンタ本体１１内には、画像形成部１２が収容されている。画像形成部１２は、画像形成ジョブについての画像形成を実行する（画像形成ジョブに係る画像をシートに形成する）。画像形成の方式は、電子写真方式であってもよいし、インクジェット方式であってもよい。
【００２２】
また、プリンタ本体１１内には、本体搬送路１３が設けられている。本体搬送路１３は、その途中部が画像形成部１２を経由する略Ｓ字状に形成されている。
【００２３】
プリンタ本体１１の最下部には、本体供給トレイ１４が設けられている。本体供給トレイ１４には、複数枚のシートが積み重なった状態で支持される。本体供給トレイ１４には、最上のシートを他のシートから分離して本体搬送路１３の一端（下端）に送り込むための供給ローラ１５が設けられている。
【００２４】
プリンタ本体１１の上面には、本体排出トレイ１６が形成されている。本体搬送路１３の他端（上端）は、本体排出トレイ１６に至っている。
【００２５】
プリンタ２では、プリンタ本体１１の下方に、複数個の増設供給トレイ２１が上下に重ねて設けられている。各増設供給トレイ２１には、複数枚のシートが積み重なった状態で支持される。各増設供給トレイ２１には、接続路２２と、接続路２２に分岐接続された増設供給路２３と、最上のシートを他のシートから分離して増設供給路２３に送り込む供給ローラ２４とが備えられている。各増設供給トレイ２１の接続路２２は、互いに接続され、最上段の増設供給トレイ２１の接続路２２は、画像形成部１２と本体供給トレイ１４との間で本体搬送路１３から分岐する分岐搬送路２５に接続されている。
【００２６】
また、プリンタ２では、増設排出ユニット３１が設けられている。増設排出ユニット３１は、プリンタ本体１１の上方に設置されている。増設排出ユニット３１には、複数個の増設排出トレイ３２（トレイの一例）と、接続路３３と、接続路３３から最上段以外の各増設排出トレイ３２に至る分岐排出路３４とが備えられている。複数個の増設排出トレイ３２は、上下方向に間隔を空けて設けられている。接続路３３は、画像形成部１２と本体排出トレイ１６との間で本体搬送路１３から分岐する分岐搬送路３５に接続されている。
【００２７】
なお、この実施形態では、２個の増設供給トレイ２１と、４個の増設排出トレイ３２が設けられた構成を例にとる。以下、４個の増設排出トレイ３２とを区別する必要がある場合、最下の増設排出トレイ３２を「第１増設排出トレイ３２Ａ」といい、下から２段目の増設排出トレイ３２を「第２増設排出トレイ３２Ｂ」といい、下から３段目の増設排出トレイ３２を「第３増設排出トレイ３２Ｃ」といい、最上の増設排出トレイ３２を「第４増設排出トレイ３２Ｄ」という。
【００２８】
画像形成部１２による画像形成の実行時には、供給ローラ１５，２４の１つが選択的に駆動されて、本体供給トレイ１４から１枚のシートが本体搬送路１３に送り出されるか、または、増設供給トレイ２１のいずれかから１枚のシートが増設供給路２３、接続路２２および分岐搬送路２５を順に経由して本体搬送路１３に送り出される。本体搬送路１３に送り出されたシートは、不図示の搬送ローラによって、本体搬送路１３を画像形成部１２に向けて搬送される。そして、そのシートが画像形成部１２を通過する間に、画像形成部１２によって、画像形成ジョブに係る画像がシートに形成される。画像形成済みのシートは、本体搬送路１３をさらに搬送されて、本体排出トレイ１６に排出されるか、または、分岐搬送路３５、接続路３３および分岐排出路３４を順に経由して、増設排出トレイ３２のいずれかに排出される。
【００２９】
シートの排出先を本体排出トレイ１６または増設排出トレイ３２のいずれかに選択的に切り替えるため、プリンタ本体１１および増設排出ユニット３１には、それぞれフラッパ４１，４２が備えられている。プリンタ本体１１のフラッパ４１は、本体搬送路１３と分岐搬送路３５との分岐位置に進出する進出位置と分岐搬送路３５から退避した退避位置とに揺動可能に設けられている。増設排出ユニット３１のフラッパ４２は、接続路３３と各分岐排出路３４との分岐位置に進出する進出位置と接続路３３から退避した退避位置とに揺動可能に設けられている。
【００３０】
プリンタ本体１１のフラッパ４１が進出位置に位置する状態では、本体搬送路１３を搬送されるシートが本体排出トレイ１６に排出される。プリンタ本体１１のフラッパ４１が退避位置に位置し、増設排出ユニット３１の最下のフラッパ４２が進出位置に位置する状態では、本体搬送路１３を搬送されるシートが分岐搬送路３５、接続路３３および分岐排出路３４を順に経由して第１増設排出トレイ３２Ａに排出される。フラッパ４１が退避位置に位置し、下から２個目のフラッパ４１が進出位置に位置し、残りのフラッパ４１が退避位置に位置する状態では、本体搬送路１３を搬送されるシートが分岐搬送路３５、接続路３３および分岐排出路３４を順に経由して第２増設排出トレイ３２Ｂに排出される。フラッパ４１が退避位置に位置し、下から３個目のフラッパ４１が進出位置に位置し、残りのフラッパ４１が退避位置に位置する状態では、本体搬送路１３を搬送されるシートが分岐搬送路３５、接続路３３および分岐排出路３４を順に経由して第３増設排出トレイ３２Ｃに排出される。フラッパ４１，４２の全てが退避位置に位置する状態では、本体搬送路１３を搬送されるシートが分岐搬送路３５、接続路３３および分岐排出路３４を順に経由して第４増設排出トレイ３２Ｄに排出される。
【００３１】
本体排出トレイ１６または増設排出トレイ３２に排出された複数のシートは、それぞれ本体排出トレイ１６または増設排出トレイ３２に積み重なった状態で支持される。各増設排出トレイ３２には、その増設排出トレイ３２に支持された最上のシートが所定の満載位置に達したか否かを検知する満載センサ５１（信号出力部の一例）が設けられている。満載センサ５１は、たとえば、最上のシートが満載位置に達していない非満載状態で、ローレベルの信号を非満載信号として出力し、最上のシートが満載位置に達した満載状態で、ハイレベルの信号を満載信号として出力する。
【００３２】
＜プリンタの電気的構成＞
【００３３】
プリンタ２は、図３に示されるように、制御部６１を備えている。制御部６１は、ＡＳＩＣ（Application Specific Integrated Circuit）６２、ＲＯＭ６３およびＲＡＭ６４（登録部、仮登録部、記憶部および送信元情報記憶部の一例）などを備えている。ＡＳＩＣ６２は、ＣＰＵ６５（制御部の一例）を内蔵している。
【００３４】
ＡＳＩＣ６２には、満載センサ５１が接続されている。ＡＳＩＣ６２には、満載センサ５１が出力する信号（満載信号、非満載信号）などが入力される。
【００３５】
また、ＡＳＩＣ６２には、画像形成部１２、通信部８１、シート供給部８２およびシート排出部８３が接続されている。通信部８１は、ＬＡＮ６（図１参照）を経由したネットワーク通信のための回路などを備えている。シート供給部８２は、本体供給トレイ１４または増設供給トレイ２１から選択的にシートを本体搬送路１３に供給するための機構であり、供給ローラ１５，２４（図２参照）を含む。シート排出部８３は、シートを本体排出トレイ１６または各増設排出トレイ３２に選択的に排出するための機構であり、フラッパ４１，４２を含む。
【００３６】
ＣＰＵ６５は、ＡＳＩＣ６２に入力される信号などに基づいて、ＲＯＭ６３に記憶されているプログラムを実行することにより、画像形成部１２、通信部８１、シート供給部８２およびシート排出部８３を制御する。その制御（プログラム）の実行時、ＲＡＭ６４は、ＣＰＵ６５によりワークエリアとして使用される。なお、ＲＡＭ６４には、ＮＶＲＡＭ（Non Volatile RAM）などの不揮発性メモリが含まれていてもよい。
【００３７】
＜ジョブ受信処理＞
【００３８】
プリンタ２では、ＣＰＵ６５により、図４に示されるジョブ受信処理が実行される。
【００３９】
ジョブ受信処理では、ＣＰＵ６５は、通信部８１が新たな画像形成ジョブを受信したか否かを判断する（Ｓ１）。
【００４０】
外部装置３から新たな画像形成ジョブが送信されて、その画像形成ジョブが通信部８１に受信されると（Ｓ１：ＹＥＳ）、ＣＰＵ６５は、画像形成ジョブの送信元情報を取得する（Ｓ２）。送信元情報は、たとえば、外部装置３からの送信データのＩＰヘッダに含まれる送信元アドレスである。外部装置３が複数のユーザにより共用される場合、外部装置３から送信される画像形成ジョブには、その印刷ジョブを送信したユーザが外部装置３へのログインに使用したユーザＩＤが付加される。この場合、送信元情報は、ユーザＩＤである。
【００４１】
その後、ＣＰＵ６５は、画像形成ジョブに含まれる画像形成条件から、シートの排出先が増設排出トレイ３２のいずれであるかを特定する。そして、ＣＰＵ６５は、その特定した排出先に設けられている満載センサ５１の出力信号のレベルを確認し、満載センサ５１から満載信号が出力されているか否か、つまり排出先が満載状態であるか否かを判定する（Ｓ３）。たとえば、シートの排出先が第１増設排出トレイ３２Ａに指定されている場合、ＣＰＵ６５は、第１増設排出トレイ３２Ａの満載センサ５１の出力信号のレベルを確認し、第１増設排出トレイ３２Ａが満載状態であるか否かを判定する。
【００４２】
以下、シートの排出先が第１増設排出トレイ３２Ａである場合を例にとる。
【００４３】
第１増設排出トレイ３２Ａが満載状態でない場合、つまり第１増設排出トレイ３２Ａが非満載状態である場合（Ｓ３：ＮＯ）、ＣＰＵ６５は、通信部８１に受信された画像形成ジョブをＲＡＭ６４に登録する（Ｓ４）。なお、「登録」とは、画像形成ジョブを画像形成の実行対象としてＲＡＭ６４に記憶させることを意味する。
【００４４】
その後、ＣＰＵ６５は、非満載処理を実行して（Ｓ５）、ジョブ受信処理を終了する。非満載処理については、後述する。
【００４５】
一方、第１増設排出トレイ３２Ａが満載状態である場合（Ｓ３：ＹＥＳ）、ＣＰＵ６５は、満載処理を実行して（Ｓ６）、ジョブ受信処理を終了する。満載処理については、後述する。
【００４６】
なお、この実施形態で説明される各処理は、画像形成済みのシートの排出先が増設排出トレイ３２のいずれかである場合に実行される処理である。シートの排出先が本体排出トレイ１６である場合、各処理に代えて、次の処理が実行される。すなわち、ＣＰＵ６５は、通信部８１に受信された画像形成ジョブをＲＡＭ６４に登録する。そして、ＣＰＵ６５は、画像形成部１２およびシート供給部８２を制御し、ＲＡＭ６４に登録された画像形成ジョブに含まれる画像形成条件に従って、本体供給トレイ１４または増設供給トレイ２１のいずれかから本体搬送路１３（図２参照）にシートを供給させ、画像形成ジョブに含まれるファイル（画像データ）の画像を１ページ目から順にシートに形成させる。そして、画像形成ジョブに含まれるファイルの全ページの画像がシートに形成されると、ＣＰＵ６５は、画像形成ジョブをＲＡＭ６４から削除する。
【００４７】
＜非満載処理＞
【００４８】
図４のステップＳ５で実行される非満載処理の流れは、図５に示されている。
【００４９】
非満載処理では、ＣＰＵ６５は、画像形成部１２およびシート供給部８２を制御し、ＲＡＭ６４に新規に登録された画像形成ジョブに含まれる画像形成条件に従って、本体供給トレイ１４または増設供給トレイ２１のいずれかから本体搬送路１３（図２参照）にシートを供給させ、画像形成ジョブに含まれるファイル（画像データ）の画像を１ページ目から順にシートに形成させる（Ｓ５１）。
【００５０】
また、ＣＰＵ６５は、シート排出部８３を制御して、画像形成ジョブに含まれる画像形成条件に従って、画像形成部１２により画像が形成されたシートを第１増設排出トレイ３２Ａに排出させる（Ｓ５２）。
【００５１】
そして、シートが１枚排出される度に、ＣＰＵ６５は、第１増設排出トレイ３２Ａの満載センサ５１の出力信号のレベルを確認し、その満載センサ５１から満載信号が出力されたか否かを判定する（Ｓ５３）。
【００５２】
第１増設排出トレイ３２Ａの満載センサ５１から満載信号が出力されていない場合（Ｓ５３：ＮＯ）、ＣＰＵ６５は、画像形成ジョブが終了かどうか、つまり画像形成ジョブに含まれるファイルの全ページの画像がシートに形成されたか否かを判断する（Ｓ５４）。
【００５３】
画像形成ジョブが終了ではない場合（Ｓ５４：ＮＯ）、ステップＳ５１の処理に戻り、ＣＰＵ６５は、画像形成済みのページの次のページの画像をシートに形成させる。
【００５４】
画像形成およびシートの排出が進み、画像形成ジョブに含まれるファイルの全ページの画像がシートに形成されると、ＣＰＵ６５は、画像形成ジョブの終了と判断し（Ｓ５４：ＹＥＳ）、その画像形成ジョブをＲＡＭ６４から削除して（Ｓ５５）、非満載処理を終了する。
【００５５】
一方、画像形成ジョブの終了を判断する前に、第１増設排出トレイ３２Ａの満載センサ５１から満載信号が出力された場合（Ｓ５３：ＹＥＳ）、ＣＰＵ６５は、先に取得した画像形成ジョブの送信元情報を満載関与情報として特定し（Ｓ５６）、その満載関与情報をＲＡＭ６４に記憶させる。
【００５６】
また、ＣＰＵ６５は、それまでに第１増設排出トレイ３２Ａに排出された画像形成済みのシートの枚数を満載関与枚数として、満載関与情報と対応づけて、ＲＡＭ６４に記憶させる（Ｓ５７）。そして、ＣＰＵ６５は、非満載処理を終了する。
【００５７】
＜満載処理＞
【００５８】
図４のステップＳ６で実行される満載処理の流れは、図６に示されている。
【００５９】
満載処理では、ＣＰＵ６５は、先に取得した送信元情報がＲＡＭ６４に記憶されている満載関与情報と一致するか否かを判断する（Ｓ６１）。すなわち、ステップＳ６１では、通信部８１に受信された新たな画像形成ジョブの送信元（外部装置３またはそのユーザ）が第１増設排出トレイ３２Ａが満載状態になった時に実行中であった画像形成に係る画像形成ジョブの送信元と同じであるか否かが判断される。
【００６０】
送信元情報が満載関与情報と一致した場合（Ｓ６１：ＹＥＳ）、ＣＰＵ６５は、ＲＡＭ６４の空き容量が所定量以下であるか否かを判断する（Ｓ６２）。
【００６１】
ＲＡＭ６４の空き容量が所定量よりも多い場合（Ｓ６２：ＮＯ）、ＣＰＵ６５は、通信部８１に受信された新たな画像形成ジョブをＲＡＭ６４に仮登録する（Ｓ６３）。なお、「仮登録」とは、画像形成ジョブを画像形成の実行対象としてではなく、画像形成の非実行対象（保留対象）としてＲＡＭ６４に記憶させることを意味する。
【００６２】
一方、ＲＡＭ６４の空き容量が所定量以下である場合（Ｓ６２：ＹＥＳ）、ＣＰＵ６５は、通信部８１に受信された画像形成ジョブをＲＡＭ６４に登録も仮登録もしない（Ｓ６３：スキップ）。この場合、ＣＰＵ６５は、たとえば、通信部８１から送信元の外部装置３に向けて、画像形成ジョブが受け付けられなかったことを表すエラー信号を送信する。
【００６３】
その後、ＣＰＵ６５は、満載関与情報と対応づけてＲＡＭ６４に記憶されている満載関与枚数が所定枚数以下であるか否かを判断する（Ｓ６４）。
【００６４】
満載関与枚数が所定枚数よりも多い場合（Ｓ６４：ＮＯ）、ＣＰＵ６５は、通信部８１から新たな画像形成ジョブの送信元の外部装置３に向けて、第１増設排出トレイ３２Ａの満載状態の解消を報知する要求（満載解消報知要求）を送信する（Ｓ６５）。そして、ＣＰＵ６５は、満載処理を終了する。満載解消報知要求を受信した外部装置３では、プリンタ２の満載状態の解消を促すメッセージ、たとえば、「プリンタの第１増設排出トレイからシートを除去してください」といった内容のメッセージがディスプレイ５に表示される。
【００６５】
満載関与枚数が所定枚数以下である場合（Ｓ６４：ＹＥＳ）、すなわち、新たな画像形成ジョブの送信元と第１増設排出トレイ３２Ａが満載状態になった時に実行中であった画像形成に係る先の画像形成ジョブの送信元とが同じであるが、先の画像形成ジョブについて画像形成されたシートの枚数が所定枚数以下であった場合、ＣＰＵ６５は、満載解消報知要求を送信せずに（Ｓ６５：スキップ）、満載処理を終了する。
【００６６】
一方、送信元情報が満載関与情報と一致しない場合（Ｓ６１：ＮＯ）、すなわち、通信部８１に受信された新たな画像形成ジョブの送信元と第１増設排出トレイ３２Ａが満載状態になった時に実行中であった画像形成に係る先の画像形成ジョブの送信元とが異なる場合、ＣＰＵ６５は、新たな画像形成ジョブをＲＡＭ６４に登録する（Ｓ６６）。
【００６７】
そして、この場合、ＣＰＵ６５は、通信部８１から新たな画像形成ジョブの送信元の外部装置３に向けて、第１増設排出トレイ３２Ａが満載状態であることを報知する要求（満載状態報知要求）を送信する（Ｓ６７）。また、ＣＰＵ６５は、通信部８１から新たな画像形成ジョブの送信元の外部装置３に向けて、シートの排出先を第１増設排出トレイ３２Ａとは別の増設排出トレイ３２または本体排出トレイ１６に変更した画像形成ジョブを送信することを促す報知を行う要求（トレイ変更報知要求）を送信する（Ｓ６７）。そして、ＣＰＵ６５は、満載処理を終了する。なお、別の増設排出トレイ３２については、満載状態を検知していない増設排出トレイ３２を特定し、この要求を行うことが望ましい。
【００６８】
なお、トレイ変更報知要求に応答して、ユーザがシートの排出先を変更した画像形成ジョブを外部装置３から送信し、その新たな画像形成ジョブを通信部８１が受信した場合、ＣＰＵ６５は、先に登録した画像形成ジョブを削除し、新たな画像形成ジョブについての処理を実行する。
【００６９】
＜満載解消処理＞
【００７０】
満載信号を出力中の満載センサ５１が存在する場合、ＣＰＵ６５は、図７に示される満載解消処理を実行する。
【００７１】
満載解消処理では、ＣＰＵ６５は、満載信号を出力中の満載センサ５１を監視対象として、その監視対象の満載センサ５１から出力される信号が満載信号から非満載信号に切り替わったか否かを判断する（Ｓ１１）。
【００７２】
監視対象の満載センサ５１が設けられた増設排出トレイ３２からシートが除去されて、その満載センサ５１から非満載信号が出力されると（Ｓ１１：ＹＥＳ）、ＣＰＵ６５は、ＲＡＭ６４に記憶されている満載関与情報を削除する（Ｓ１２）。
【００７３】
次に、ＣＰＵ６５は、監視対象の満載センサ５１が設けられた増設排出トレイ３２をシートの排出先とする画像形成ジョブがＲＡＭ６４に仮登録されているか否かを判断する（Ｓ１３）。
【００７４】
監視対象の満載センサ５１が設けられた増設排出トレイ３２をシートの排出先とする画像形成ジョブの仮登録がある場合（Ｓ１３：ＹＥＳ）、ＣＰＵ６５は、その仮登録されている画像形成ジョブをＲＡＭ６４に正式に登録する（Ｓ１４）。
【００７５】
監視対象の満載センサ５１が設けられた増設排出トレイ３２をシートの排出先とする画像形成ジョブの仮登録がない場合（Ｓ１３：ＮＯ）、画像形成ジョブのＲＡＭ６４への正式登録はスキップされる。
【００７６】
次に、ＣＰＵ６５は、監視対象の満載センサ５１が設けられた増設排出トレイ３２、つまり満載状態が解消された増設排出トレイ３２をシートの排出先とする画像形成ジョブがＲＡＭ６４に登録されているか否かを判断する（Ｓ１５）。
【００７７】
当該画像形成ジョブがＲＡＭ６４に登録されている場合（Ｓ１５：ＹＥＳ）、ＣＰＵ６５は、図５に示される非満載処理を実行する（Ｓ１６）。非満載処理については、前述したとおりである。
【００７８】
非満載処理の終了後、ＣＰＵ６５は、監視対象の満載センサ５１から満載信号が出力されているか否かを判断する（Ｓ１７）。
【００７９】
監視対象の満載センサ５１から満載信号が出力されている場合（Ｓ１７：ＹＥＳ）、ＣＰＵ６５は、前述した処理である、満載信号を出力中の満載センサ５１を監視対象として、その監視対象の満載センサ５１から出力される信号が満載信号から非満載信号に切り替わったか否かが判断する（Ｓ１１）。
【００８０】
非満載処理の終了後、監視対象の満載センサ５１から満載信号が出力されていない場合（Ｓ１７：ＮＯ）、ＣＰＵ６５は、監視対象の満載センサ５１が設けられた増設排出トレイ３２をシートの排出先とする他の画像形成ジョブがＲＡＭ６４に登録されているか否かを判断する（Ｓ１５）。
【００８１】
監視対象の満載センサ５１が設けられた増設排出トレイ３２をシートの排出先とする画像形成ジョブの登録がない場合（Ｓ１５：ＮＯ）、ＣＰＵ６５は、満載解消処理を終了する。
【００８２】
＜作用効果＞
【００８３】
シートの排出先の増設排出トレイ３２が満載状態になった場合、その満載状態の増設排出トレイ３２に支持されたシートに関する画像形成ジョブの送信元情報が満載関与情報として特定される。増設排出トレイ３２の満載状態において、外部装置３から新たな画像形成ジョブが通信部８１に受信されると、新たな画像形成ジョブの送信元情報が満載関与情報と一致するか否かが判断される。
【００８４】
そして、送信元情報と満載関与情報とが一致する場合には、新たな画像形成ジョブの発信元ユーザが増設排出トレイ３２の満載状態に関与しているので、満載状態の解消に関する満載解消報知要求が新たな画像形成ジョブを送信した送信元の外部装置３へ送信される。これにより、満載状態に関与しているユーザには、増設排出トレイ３２からシートを除去することを促すことができる。
【００８５】
一方、増設排出トレイ３２の満載状態で受信された新たな画像形成ジョブの送信元情報が満載関与情報と一致しない場合、新たな画像形成ジョブの送信元のユーザは増設排出トレイ３２の満載状態に関与していないので、満載解消報知要求が新たな画像形成ジョブを送信した送信元の外部装置３へ送信されない。これにより、増設排出トレイ３２の満載状態に関与していないユーザに満載状態の解消に関する報知による理不尽さなどを感じさせることを抑制できる。
【００８６】
また、この場合、新たな画像形成ジョブを送信した送信元の外部装置３へは、増設排出トレイ３２が満載状態であることを報知する満載状態報知要求が送信される。満載解消報知要求を受信した外部装置３において、増設排出トレイ３２が満載状態であるというステータス情報が報知されることにより、ユーザに増設排出トレイ３２が満載状態であることを認知させることができる。さらには、新たな画像形成ジョブを送信した送信元の外部装置３に、シートの排出先を別の増設排出トレイ３２に変更した画像形成ジョブを送信することを促す報知を行うトレイ変更報知要求が送信される。トレイ変更報知要求を受信した外部装置３において、トレイ変更報知要求に応じた報知が行われることにより、シートの排出先を別の増設排出トレイ３２に変更した画像形成ジョブを送信することをユーザに促すことができる。
【００８７】
また、通信部８１に受信された新たな画像形成ジョブについては、その画像形成ジョブの送信元情報が満載関与情報と一致しない場合には、ＲＡＭ６４に登録され、送信元情報が満載関与情報と一致する場合には、ＲＡＭ６４に登録ではなく仮登録される。これにより、増設排出トレイ３２の満載状態に関与していないユーザの画像形成ジョブについては、画像形成が早期に実行される。一方、増設排出トレイ３２の満載状態に関与しているユーザの画像形成ジョブについては、画像形成の実行が遅れるので、その満載状態に関与しているユーザに、満載状態を解消する制約を課すことができる。その結果、増設排出トレイ３２の満載状態の解消時期を早めることができる。また、増設排出トレイ３２の満載状態に関与しているユーザの画像形成ジョブがＲＡＭ６４に仮登録されることにより、満載状態に関与しているユーザが画像形成ジョブを再送信する手間を省くことができる。
【００８８】
そして、ＲＡＭ６４に仮登録された画像形成ジョブについては、増設排出トレイ３２の満載状態が解消された後、ＲＡＭ６４に正式に登録される。これにより、仮登録されていた画像形成ジョブに係る画像形成が実行され、その画像形成ジョブに含まれるファイルの画像が形成されたシートをユーザが手に入れることができる。
【００８９】
ただし、増設排出トレイ３２の満載状態に関与しているユーザの画像形成ジョブを通信部８１が受信したときに、ＲＡＭ６４の空き容量が所定量以下である場合には、その画像形成ジョブはＲＡＭ６４に登録も仮登録もされない。したがって、満載状態に関与しているユーザの画像形成ジョブによりＲＡＭ６４の空き容量が圧迫されることを抑制できる。その結果、満載状態に関与していないユーザの画像形成ジョブを通信部８１が受信したときに、その画像形成ジョブがＲＡＭ６４の空き容量の不足のために登録できないといった不都合が生じることを抑制できる。また、満載状態に関与しているユーザに満載状態を解消する制約が課されることになるので、増設排出トレイ３２の満載状態の解消時期を早めることができる。
【００９０】
また、画像形成の実行中にシート排出先の増設排出トレイ３２の満載センサ５１から満載信号が出力された場合、その画像形成に係る画像形成ジョブの送信元情報が満載関与情報として特定される。これにより、満載関与情報を簡易に特定することができる。
【００９１】
新たな画像形成ジョブの送信元情報が満載関与情報と一致する場合であっても、満載関与情報に係る画像形成ジョブについて画像形成されたシートの枚数が所定枚数以下である場合には、満載解消報知要求が新たな画像形成ジョブを送信した送信元の外部装置３へ送信されない。これにより、増設排出トレイ３２の満載状態への関与が薄いユーザに満載状態の解消に関する報知による理不尽さなどを感じさせることを抑制できる。
【００９２】
＜満載処理の他の例＞
【００９３】
図６に示される満載処理に代えて、図８に示される満載処理が実行されてもよい。図８において、図６に示される各ステップに相当するステップには、それらのステップと同一のステップ番号が付されている。また、以下では、図８に示される満載処理について、図６に示される満載処理との相違点のみを説明する。
【００９４】
図８に示される満載処理では、送信元情報が満載関与情報と一致しない場合（Ｓ６１：ＮＯ）、ＣＰＵ６５は、新たな画像形成ジョブをＲＡＭ６４に登録した後（Ｓ６６）、第１増設排出トレイ３２Ａの満載状態が所定時間以上継続しているか否かを判断する（Ｓ６８）。
【００９５】
そして、第１増設排出トレイ３２Ａの満載状態が所定時間以上継続している場合、ＣＰＵ６５は、通信部８１から新たな画像形成ジョブの送信元の外部装置３に向けて、第１増設排出トレイ３２Ａの満載状態の解消を報知する満載解消報知要求を送信する（Ｓ６５）。
【００９６】
また、第１増設排出トレイ３２Ａの満載状態が所定時間以上継続していない場合、ＣＰＵ６５は、ＲＡＭ６４に登録または仮登録されている画像形成ジョブの数が所定数以上であるか否かを判断する（Ｓ６９）。言い換えれば、ＣＰＵ６５は、画像形成が実行されずに待機状態になっている画像形成ジョブの数が所定数以上であるか否かを判断する。
【００９７】
そして、ＲＡＭ６４に登録または仮登録されている画像形成ジョブの数が所定数以上である場合にも（Ｓ６９：ＹＥＳ）、ＣＰＵ６５は、通信部８１から新たな画像形成ジョブの送信元の外部装置３に向けて、第１増設排出トレイ３２Ａの満載状態の解消を報知する満載解消報知要求を送信する（Ｓ６５）。
【００９８】
図８に示される満載処理が実行されることにより、第１増設排出トレイ３２Ａの満載状態が長く続いている場合または待機状態の画像形成ジョブの数が多い場合に、第１増設排出トレイ３２Ａの満載状態に関与していないユーザにも、増設排出トレイ３２からシートを除去することを促すことができる。その結果、第１増設排出トレイ３２Ａの満載状態の解消時期を早めることができる。
【００９９】
＜変形例＞
【０１００】
以上、本発明の実施の形態について説明したが、本発明は、他の形態で実施することもできる。
【０１０１】
たとえば、前述の実施形態では、画像形成の実行中にシート排出先の増設排出トレイ３２の満載センサ５１から満載信号が出力された場合、その画像形成に係る画像形成ジョブの送信元情報が満載関与情報として特定されるとした。
【０１０２】
満載関与情報を別の方法で特定するために、たとえば、図９に示されるように、画像形成ジョブについての画像形成時には、ＲＦＩＤ（Radio Frequency IDentification）タグ９１を有するシートが使用され、各増設排出トレイ３２には、ＲＦＩＤタグ９１からＩＤを読み出すＲＦＩＤリーダ９２（読出部の一例）が設けられてもよい。この場合、画像形成済みのシートが増設排出トレイ３２に排出されると、排出されたシートのＲＦＩＤタグ９１からＩＤがＲＦＩＤリーダ９２により読み出されて、その読み出されたＩＤと画像形成に係る画像形成ジョブの送信元情報とが互いに紐付けられてＲＡＭ６４に記憶される。そして、増設排出トレイ３２が満載状態になった場合、その増設排出トレイ３２に支持されている各シートのＲＦＩＤタグ９１からＩＤがＲＦＩＤリーダ９２により読み出され、読み出されたＩＤと紐付けられている送信元情報の少なくとも１つが満載関与情報として特定されるとよい。たとえば、各シートのＲＦＩＤタグ９１から読み出されたＩＤと紐付けられている送信元情報のうち、最も多数のＩＤと紐付けられている送信元情報が満載関与情報として特定されてもよい。
【０１０３】
また、各増設排出トレイ３２にシートの有無を検知するセンサが設けられて、増設排出トレイ３２におけるシートの存在が検知されてからシートの非存在が検知されるまでの間、その増設排出トレイ３２に排出されたシートに係る送信元情報がＲＡＭ６４に記憶されてもよい。この場合、各送信元情報に係るシートの枚数が送信元情報と対応づけてＲＡＭ６４に記憶されて、最も多い枚数と対応づけられている送信元情報が満載関与情報として特定されてもよい。
【０１０４】
なお、図６、８に示される満載処理については、少なくともステップＳ６２、Ｓ６４、Ｓ６８、Ｓ６９のいずれかの処理が適宜省略されて実行されてもよい。
【０１０５】
前述の実施形態では、ＣＰＵ６５が各処理を実行する場合について説明した。しかしながら、ＡＳＩＣ６２が複数のＣＰＵを備え、複数のＣＰＵが協働して各処理を実行してもよい。
【０１０６】
また、画像形成装置の一例として、プリンタ２を取り上げたが、画像形成装置は、プリンタ機能を有する装置であれば、たとえば、ＭＦＰ（Multi-Function Peripheral）であってもよい。
【０１０７】
その他、前述の構成には、特許請求の範囲に記載された事項の範囲で種々の設計変更を施すことが可能である。
【符号の説明】
【０１０８】
１    画像形成システム
２    プリンタ
３    外部装置
１２  画像形成部
３２  増設排出トレイ
５１  満載センサ
６１  制御部
６４  ＲＡＭ
６５  ＣＰＵ
８１  通信部
【図１】
2016190324.tif 000003
【図２】
2016190324.tif 000004
【図３】
2016190324.tif 000005
【図４】
2016190324.tif 000006
【図５】
2016190324.tif 000007
【図６】
2016190324.tif 000008
【図７】
2016190324.tif 000009
【図８】
2016190324.tif 000010
【図９】
2016190324.tif 000011